(57)【要約】  【課題】生理用ナプキンと身体との間に出来る経血漏れの原因である隙間の発生を防ぐ生理用ナプキン併用型リング状粘着テープ付き水解性天然素材漏れ防止小型生理用品を提供する。また、装着時の異物感、違和感、摩擦を軽減した小型生理用品、および生理用品セットを提供する。 【解決手段】本発明の小型生理用品は、水解性天然素材を備える吸収体10と、吸収体10の下面に貼着されたリング状粘着テープ5と、粘着テープを覆う剥離紙6を備え、粘着テープ5は、リング状部の外表面に粘着部を有しており、下面側が剥離紙6により覆われる。吸収体10は、不織布1と4で紙シート2と綿状パルプ吸収物3を封着した形で周辺部を圧着した形状を有する。【選択図】図１
2015142725.tif 000002
【特許請求の範囲】
【請求項１】
水解性天然素材を備える吸収体と、前記吸収体の下面に貼着されたリング状粘着テープと、前記粘着テープを覆う剥離紙とを備え、前記粘着テープは、リング状基材の外表面に粘着部を有しており、前記粘着部が前記剥離紙により覆われることを特徴とする小型生理用品。
【請求項２】
請求項１に記載の小型生理用品において、前記粘着テープは、水溶紙からなるリング状基材の片面に水溶性粘着剤層が形成されている水溶性粘着テープであり、前記剥離紙は、前記水溶性粘着剤層を覆う水溶性剥離紙からなることを特徴とする小型生理用品。
【請求項３】
請求項１または請求項２に記載の小型生理用品において、前記吸収体は水解性天然素材からなる吸収物と、前記吸収物を覆う水解性天然素材からなる被覆部材からなることを特徴とする小型生理用品。
【請求項４】
請求項１から３のいずれかに記載の小型生理用品は、前記吸収体がドーム状または楕円体状であることを特徴とする小型生理用品。
【請求項５】
請求項１から４のいずれかに記載の小型生理用品と生理用ナプキンからなる生理用品セットであって、前記小型生理用品は、前記生理用ナプキンの上面のうち膣口に対応する位置に配置されることを特徴とする生理用品セット。
【発明の詳細な説明】
【技術分野】
【０００１】
本発明は小型生理用品及び生理用品セットに関し、特に、生理用ナプキン併用型リング状粘着テープ付き水解性天然素材漏れ防止吸収体に関する。
【背景技術】
【０００２】
従来の生理用ナプキン併用型漏れ防止吸収体は漏れを防止する効果が高い。また、ナプキンとは一体化せず、完全に独立させることでナプキンのズレにより、生ずる隙間の発生が防止され、身体の動きに常に連動する。
【先行技術文献】
【特許文献】
【０００３】
【特許文献１】特開２００２−１７７７７号公報
【特許文献２】国際公開ＷＯ２００２−０９４１６２号
【特許文献３】特開２００９−０１８１９７号公報
【発明の概要】
【発明が解決しようとする課題】
【０００４】
しかしながら、従来の生理用ナプキン併用型漏れ防止吸収体は、石油由来の化学物質を使用しており、直接膣口に接触することで、経皮毒素吸収の心配があり、また女性の陰部を冷やす欠点がある。水解性ではないため便器に吸収体が落下した場合は吸収体を拾い、処理する必要がある。そのため生理用ナプキン併用型漏れ防止吸収体の交換時には難点があり、ゴミの減量化も十分とは言えない。さらに、吸収体が固定さていないため、ズレる可能性がある（特許文献１）。
【０００５】
交換時に落下する可能性があり、装着しづらい。吸収体底面に両面テープがないため、生理用ナプキンに固定するという使用方法が選べない（特許文献２）。
【０００６】
装着時に陰唇部を指で広げて挟み込む必要があり、その使用方法に抵抗を感じる場合があり、説明書を熟読し練習する必要があるため、万人向けではないという欠点がある。また装着後は陰唇部に異物感、違和感、摩擦による痛みを感じる場合がある（特許文献３）。
【０００７】
本発明は、上記課題を解決するためになされたものであり、装着時の異物感、違和感、摩擦を軽減した小型生理用品、および生理用品セットを提供することである。
【課題を解決するための手段】
【０００８】
本発明の小型生理用品は、水解性天然素材を備える吸収体と、前記吸収体下面に貼着されたリング状粘着テープと、前記粘着テープを覆う剥離紙とを備え、前記粘着テープは、リング状基材の外表面に粘着部を有しており、前記粘着部が前記剥離紙により覆われることを特徴とする。
本発明の小型生理用品は、一般的に市販されている生理用品の１/３から１/４程度の大きさで、膣口を充分塞ぐくらいの大きさであればよい。
前記小型生理用品において、前記粘着テープは、水溶紙からなるリング状基材の片面に水溶性粘着剤層が形成されている水溶性粘着テープであり、前記剥離紙は、水溶性粘着剤層を覆う水溶性剥離紙からなる。
前記小型生理用品において、前記吸収体は水解性天然素材からなる吸収物と、前記吸収物を覆う水解性天然素材からなる被覆部材から構成されているとよい。
前記小型生理用品は、前記吸収体がドーム状または楕円体状であることが好ましい。
楕円体形で前後の区別をする必要をなくすことで、迅速な装着を可能にした。また、吸収体の装着面に丸みをもたせたドーム状にすることで装着時の異物感、違和感、摩擦を軽減することができる。
【０００９】
また、本発明の生理用品セットは、前記小型生理用品からなる生理用品セットであって、前記小型生理用品は、前記生理用ナプキンの上面のうち膣口に対応する位置に配置されることを特徴とする。
【発明の効果】
【００１０】
本発明の小型生理用品は、従来の生理用ナプキンが使用している石油由来の化学物質を使用しない。そのため、経皮毒素吸収の心配がなく、女性の陰部を冷やすことも軽減される。天然素材の綿状パルプを使用することで吸収力を維持し、従来品と比較しても劣ることはない。吸収体の綿状パルプは水解性素材を使用しており、生分解されることにより、水洗トイレや家庭用浄化槽にも流すことができる。また、吸収体が直接膣口からの経血を吸収するので、併用する従来のナプキンの交換回数が減少する。さらに、ズレ防止のために吸収体の下面にリング状の粘着テープと粘着テープを覆う剥離紙を備えた。従来の両面粘着テープでは剥離紙をはがして外陰部に装着する際、粘着テープが指に付く問題点があったが、粘着テープをリング状にすることで解決することができた。また、固定する必要がない場合は、剥離紙をはがさず使用できるため、使用する人の選択肢が増える。
【００１１】
本発明の小型生理用品は、出血の多い生理日に一般的に市販されている生理用ナプキンを併用して使用する方法と少量になった場合に単体で使用する方法など、使用する人の選択肢が増える。
装着時に陰唇部を指で広げて挟み込む必要がない。また、膣口に接する吸収体の装着面に丸みをもたせたドーム状にすることにより、繊細で敏感な陰唇部の異物感、違和感、摩擦による痛みを緩和する。加えて、楕円形で前後の区別をする必要がなく、膣口を中心とした窪みにあてがうだけで、迅速な装着が可能である。上記の全てのことが、万人、特に初潮から間もない若年層であっても簡単に安心して使用することができる。これらの結果として、経済面、交換時の難点、ゴミの減量、全てにおいて有利な効果をもたらす。これらを最も主要な特徴とする。
【図面の簡単な説明】
【００１２】
【図１】本発明の一実施例に係る生理用ナプキン併用型リング状粘着テープ付き水解性天然素材漏れ防止吸収体の側部からの断面図。
【図２】本発明の生理用ナプキン併用型リング状粘着テープ付き水解性天然素材漏れ防止吸収体の上面図及び側面図。
【図３】本発明の生理用ナプキン併用型リング状粘着テープ付き水解性天然素材漏れ防止吸収体の垂直方向から見た概観図。
【図４】本発明の生理用ナプキン併用型リング状粘着テープ付き水解性天然素材漏れ防止吸収体の装着実施例の透視図。
【図５】本発明の変形例を示す吸収体の側部からの断面図。
【図６】本発明の変形例を示す吸収体の上面図。
【発明を実施するための形態】
【００１３】
図１〜図３に示す、本実施例の小型生理用品は、水解性天然素材を備える吸収体10と、吸収体10の下面に貼着されたリング状粘着テープ5と、粘着テープを覆う剥離紙6を備え、粘着テープ5は、リング状部の外表面に粘着部を有しており、下面側が剥離紙6により覆われる。吸収体10は、縦５cmから10cm、横2cmから4cm、高さ1cmから2cmの大きさで不織布4と1で紙シートと綿状パルプ吸収物3を挟んだ物からなる。
不織布1と4、綿状パルプ吸収物3、紙シート2、リング状粘着テープ5、剥離紙6は、水解性天然素材からなり、全ての素材が微生物の働きで生分解され自然に還るので水洗トイレもしくは家庭用浄化槽にも流すことができる。
天然素材である綿状パルプとシート状に加工されたパルプを使用し、身体および環境への安全性がより高まる。
【００１４】
第一の使用方法は、小型生理用品のリング状粘着テープを覆う剥離紙をはがし、リング状部の中に使用者の指を入れて膣口を中心とした外陰部のくぼみを吸収体で塞いだ後、生理用ナプキンを取り付けた下着を装着し、粘着テープ5を生理用ナプキンに接着して固定する。リング状粘着テープの内側は粘着面ではないので指にはつかない。
第二の使用方法は、下着に取り付けた生理用ナプキンに、リング状粘着テープを覆う剥離紙をはがした小型生理用ナプキンを生理用ナプキンに接着し固定した後、下着を履く。図４は第一または第二の使用方法の装着図である。
第三の使用方法は、粘着テープで固定を必要としない人は剥離紙をはがさず使用することもできる。いずれの使用方法も簡単に確実に装着できる。
【００１５】
小型生理用品は、出血の多い生理日に一般的に市販されている使い捨て生理用ナプキンや布製生理用ナプキンを併用して使用する方法と少量になった場合に単体で使用する方法など、使用する人に複数の選択肢を与える。
【００１６】
粘着テープと粘着テープを覆う剥離紙は水溶性からなる基材の片面に水溶性粘着剤層が形成されている水溶性粘着テープ、および水溶性粘着剤層上に備えられる水溶性剥離紙からなる粘着テープを使用することで、便器に落とし流すことができる。
【００１７】
生理用ナプキン使用時に発生する経血漏れの原因となる隙間を吸収体10によって補い無くすることで、経血の流出を防止するとともに、経血の吸収軌道をナプキン中央部に導く役割を果たす。装着時の形態は、外陰部に凹凸がない状態を作っている。そのことはナプキンに対し接触面の広がりを実現し、正確に経血をナプキンに誘導させる。また、液体は独立した吸収物が複数重なり合った場合、液体に最も近いものの吸収容量を超えない限り、次の吸収物には移行しない性質がある。経血がナプキンに浸透するまでの時間が吸収体10に経血が充満し漏出後となるため、ナプキンのみの使用と比べ吸収容量が増し、ナプキンの取替えの必要が減る。
【００１８】
なお、吸収体の形状は図１〜図３のようなドーム状または楕円体状に限らない。例えば図５及び図６に示すような偏平な直方体状でもよい。
【符号の説明】
【００１９】
１  不織布（被覆部材）
２  紙シート
３  綿状パルプ吸収物
４  不織布（被覆部材）
５  リング状粘着テープ
６  剥離紙
１０  リング状粘着テープ付き水解性天然素材吸収体
【図１】
2015142725.tif 000003
【図２】
2015142725.tif 000004
【図３】
2015142725.tif 000005
【図４】
2015142725.tif 000006
【図５】
2015142725.tif 000007
【図６】
2015142725.tif 000008